(57)【特許請求の範囲】
【請求項１】
扉体面部に装着される化粧モールの端部に対するキャップの取付構造であって、
前記キャップは、化粧モールの長さ方向端面を被覆する形状を備えた面部を有し、該面部の裏面側には、該裏面から突出する第１嵌合突部と、扉体面部に対して垂直方向に延出する第２嵌合突部とが形成され、
前記化粧モールの裏面には、長さ方向に延びる溝状空間部を備えた突部が形成されており、前記溝状空間部の長さ方向端部が化粧モールの端面側に開口する嵌合受部を形成しており、
前記扉体面部には、高さ方向端部に位置して嵌合受孔が形成されており、
前記扉体面部には、前記嵌合受孔と同一鉛直線上に位置して係止孔が形成されており、
化粧モールの前記突部には前記溝状空間部に連通するスリットが形成されており、
一端が前記溝状空間部内に装着され、前記スリットから突出して、他端が前記係止孔に装着された係止部材によって扉体面部に対する化粧モールの幅方向の移動が規制されるようになっており、
キャップの第１嵌合突部が化粧モールの嵌合受部に嵌合し、キャップの面部が化粧モールの端面を被覆し、前記係止部材によって扉体面部に対する化粧モールの幅方向の移動が規制された状態でキャップの第２嵌合突部が前記スリットから突出して扉体面部の嵌合受孔に嵌合することを特徴とする化粧モールの端部に対するキャップの取付構造。
【請求項２】
前記第２嵌合突部は、前記第１嵌合突部に突成されている、請求項１に記載の取付構造。
【発明の詳細な説明】
【技術分野】
【０００１】
本発明は、扉体の面部に装着される化粧モールの端部に対するキャップの取付構造に関するものである。
【背景技術】
【０００２】
玄関ドアに用いる扉体の面部にアルミ材の化粧モールを取り付ける場合に、化粧モールの意匠性の向上及び長さ方向端面（小口）の保護を目的として、化粧モールの長さ方向端部に樹脂製部品からなる小口キャップを取り付けている。従来の小口キャップの取付方法としては、螺子を用いて扉体に固定したり、接着剤を用いて化粧モールへ接着したりすることが行われている。
【０００３】
扉体へ螺子固定方法は、樹脂部品と化粧モールの脱落防止を配慮した方法ではあるが、扉体への穴開け加工・雌螺子加工、及び、取付螺子が必要となり、コストがかかると共に、取付螺子の頭部が見えるため、意匠的にも望ましくない。化粧モールへの接着方法は、樹脂部品を接着するのみであり、螺子固定に比べて低コストであるが、接着剤による取り付けでは、取り付けが有効であるか否かの判断が難しく、また、経年劣化による剥離も懸念される。
【０００４】
また、従来、化粧モール自体も、螺子を用いて扉体に装着されており、扉体への穴開け加工・雌螺子加工、及び、取付螺子が必要となる上、螺子の頭部を隠蔽する必要があり、化粧モールの構造が複雑となっていた（特許文献１）。
【特許文献１】特開２００２−３２２８８２号
【発明の開示】
【発明が解決しようとする課題】
【０００５】
本発明は、従来の取付方法に比べて、構成部品への加工および部品同士の取り付けが容易であり、かつ、意匠性に優れる、化粧モールの端部に対するキャップの取付構造を提供することを目的とする。
【課題を解決するための手段】
【０００６】
かかる課題を達成するために本発明が採用した技術手段は、
扉体面部に装着される化粧モールの端部に対するキャップの取付構造であって、
前記キャップは、化粧モールの長さ方向端面を被覆する形状を備えた面部を有し、該面部の裏面側には、該裏面から突出する第１嵌合突部と、扉体面部に対して垂直方向に延出する第２嵌合突部とが形成され、
前記化粧モールの裏面には、長さ方向に延びる溝状空間部を備えた突部が形成されており、前記溝状空間部の長さ方向端部が化粧モールの端面側に開口する嵌合受部を形成しており、
前記扉体面部には、高さ方向端部に位置して嵌合受孔が形成されており、
前記扉体面部には、前記嵌合受孔と同一鉛直線上に位置して係止孔が形成されており、
化粧モールの前記突部には前記溝状空間部に連通するスリットが形成されており、
一端が前記溝状空間部内に装着され、前記スリットから突出して、他端が前記係止孔に装着された係止部材によって扉体面部に対する化粧モールの幅方向の移動が規制されるようになっており、
キャップの第１嵌合突部が化粧モールの嵌合受部に嵌合し、キャップの面部が化粧モールの端面を被覆し、前記係止部材によって扉体面部に対する化粧モールの幅方向の移動が規制された状態でキャップの第２嵌合突部が前記スリットから突出して扉体面部の嵌合受孔に嵌合することを特徴とする。
キャップは、扉体の面部に対する、化粧モールの高さ方向の移動、及び、化粧モールの長さ方向端部における幅方向の移動を規制する。
後述する実施例では、第１嵌合突部、第２嵌合突部はそれぞれ一つであるが、第１嵌合突部、第２嵌合突部の数はそれぞれ複数であってもよい。
【０００７】
一つの好ましい態様では、前記第２嵌合突部は、前記第１嵌合突部に突成されている。
【発明の効果】
【０００９】
キャップと化粧モールの端部との取り付けを嵌合で行うと共に、キャップを嵌合で扉体面部に取り付けるものであり、部品の取り付けに螺子を用いないことから、雌螺子加工や取付螺子が不要であり、部品の取付も容易である。部品の取り付けに螺子を用いないことから、螺子の頭部が扉体面部に露出することがなく、意匠的にも優れる。さらに、キャップは化粧モールの端部を保護するのみならず、キャップが扉体面部に嵌合することで、化粧モールの自重の少なくとも一部を負担することができ、また、キャップによって、扉体の面部に対する化粧モールの高さ方向の移動が規制される。
【発明を実施するための最良の形態】
【００１０】
図１左図は玄関用ドアに用いる扉体１の屋外側正面図、右図は扉体１の屋内側正面図である。扉体１は、正面視縦長方形状であり、扉体１の屋外側、屋内側の各面部２には上下方向に延出する化粧モール３，３が装着されている。
【００１１】
図２は、化粧モール３の正面図及び裏面図であり、図３は、化粧モール３の裏面図の部分拡大図及び拡大断面図である。化粧モール３は、所定の幅寸法、及び、扉体１の高さ寸法と略同じ高さ寸法を有する長尺部材であり、アルミ型材から形成されている。化粧モール３は、面部３０と、面部３０の幅方向両端部に形成された側部３１，３２と、からなり、面部３０の幅方向中央部位の裏面には、断面視方形状の溝状空間部３３を形成する突部３４が突成されている。突部３４は、面部３０の裏面から立ち上がり状に延出した左右の側部３４０と、面部３０の裏面に対して対向状に延出する面部３４１と、から構成されており、左右の側部３４０と、面部３０、３４１で囲繞される空間によって溝状空間部３３が形成されている。突部３４は化粧モール３の面部３０の長さ方向（高さ方向）に延出している。突部３４の長さ方向端部は、開口状となっており、突部３４の長さ方向端部において、溝状空間部３３は、嵌合受部３３０を形成している。突部３４の面部３４１には、長さ方向（高さ方向）に延びるスリット３５が形成されており、溝状空間部３３とスリット３５は連通している。化粧モール３の面部３０の裏面は、突部３４を挟んで、第１裏面３００と、第２裏面３０１に分割されている。
【００１２】
図４に、化粧モール３の長さ方向端部に取り付けられる樹脂製のキャップ４を示す。キャップ４は、平板状の面部４０と、面部４０の裏面側に、面部４０に対して垂直方向に延出するように突設された第１嵌合突部４１と、第１嵌合突部４１の先端近傍部位から水平方向（第１嵌合突部４１に対して垂直方向）に延出するように突成した第２嵌合突部４２と、面部４０の裏面側に突設された板状の第１突片４３及び第２突片４４とから構成されている。キャップ４の面部４０は、化粧モール３の断面形状に対応した形状を有しており、化粧モール３の長さ方向端部の端面（小口）を被覆する。第１嵌合突部４１は、化粧モール３の裏面側の突部３４の溝状空間部３３の断面形状に対応する断面視長方形状を有している。第１嵌合突部４１の先端はテーパ状に形成されており、化粧モール３の溝状空間部３３の端部の嵌合受部３３０への挿入を容易にしている。第２嵌合突部４２は、扉体１の面部２に対して垂直方向に延出する断面視正方形状の角柱であって、化粧モール３の突部３４に形成されたスリット３５を挿通でき、かつ突部３４から扉体内部に向かって突出できる寸法に形成されている。
【００１３】
扉体１の面部２の幅方向中央部位は開口状に形成されており、開口を覆うように板状の下地材５，６が、面部２を構成する面板２０に取り付けられている。本実施例では、扉体１の面部２の幅方向中央部位には、ガラリ２１が形成されており、化粧モール３は、ガラリ２１を構成するための一つの部材である下地材５，６に対して取り付けられているが、下地材５，６を用いない場合には、面板２０に直接化粧モール３を取り付けても良い。本明細書では、扉体１の「面部」には、扉体の面板２０に装着された下地材５，６も含まれる。
【００１４】
図６は、屋外側の下地材５の正面図である。下地材５は、幅方向両端部に高さ方向に所定間隔を存して複数の螺子孔５０が形成されており、螺子７によって面板２０に固定されている。下地材５には、螺子孔７より幅方向内側に位置して、高さ方向に所定間隔を存して複数の係止孔５１が形成されている。係止孔５１は、下地材５に対する化粧モール３の位置決め用係止部材８の係止孔である。係止部材８は、頭部８０と対向状の脚部８１とからなるくさび金物であり、頭部を化粧モール３の面部３０の裏面側の突部３４の溝状空間部３３に挿通させ、脚部８１をスリット３５から突出させて係止孔５１に差し込むことで、脚部８１は、対向状の脚部が拡開する弾性を利用して係止孔５１に係止する。複数の係止孔５１は鉛直線上に位置して形成されており、係止部材８を下地材５に形成された係止孔５１に係止することによって、扉体１の面部２に対する化粧モール３の幅方向の移動を規制する（図８（Ｃ）参照）。係止部材８としてくさび金物を例示したが、係止部材８はくさび金物に限定されるものではなく、扉体１の面部２に対する化粧モール３の幅方向の移動を規制できるものであれば、他の部材であってもよい。
【００１５】
下地材５の高さ方向上下端部に位置して、嵌合受孔５２が形成されている。化粧モール３の上下端面から嵌合受孔５２までの距離は、キャップ４の面部４０の裏面から第１嵌合突部４１に突成された第２嵌合突部４２までの距離に対応している。嵌合受孔５２は、キャップ４の第２嵌合突部４２を受け入れる形状・寸法に形成されている。嵌合受孔５２は、係止孔５１と同じ鉛直線上に位置して形成されている。
【００１６】
屋内側の下地材６の基本的構成は、屋外側の下地材５と共通するので、屋内側の下地材６の説明は省略する。下地材５，６の上下端部の構成は同じなので、図７において、下地材５の参照符号と共に、下地材６の参照符号を付した。上述の下地材５の説明において、螺子孔５０を螺子孔６０、係止孔５１を係止孔６１、嵌合受孔５２を嵌合受孔６２に読み替えることで、下地材６の説明とすることができる。化粧モール３を下地材５に取り付けることを説明したが、下地材を設けない場合には、化粧モール３は扉体の面部２を構成する面板２０に直接装着され、この場合、各係止孔、各嵌合受孔は、面板２０に形成される。
【００１７】
上述のように、扉体１の面部２に対する化粧モール３の幅方向の位置は、係止部材８を、鉛直線上に配列された係止孔５１に係止させることによって決定される。各係止孔５１に係止部材８を係止した状態では、化粧モール３の幅方向の移動は規制されているが、係止部材８の頭部は化粧モール３の突部３４の溝状空間部３３、スリット３５に対してスライド可能であり、係止部材８の頭部と、溝状空間部３３の壁面ないしスリット３５の端面との摩擦力で上下方向の移動を規制しているに過ぎないため、化粧モール３の自重によって化粧モール３が下方に移動して脱落してしまうおそれがある。本発明に係るキャップ４は、化粧モール３の上下方向端部の端面を保護するのみならず、化粧モール３が、扉体１の面部２から脱落することを防止するものである。キャップ４の取付について以下に説明する。
【００１８】
化粧モール３の上下方向端部に対するキャップ４の装着について説明する。キャップ４の面部４０の裏面側の第１係合突起４１を、化粧モール３の長さ方向から、化粧モール３の面部３０の裏面側に形成した溝状空間部３３の上下端部の嵌合受部３３０に挿入して嵌合することで、キャップ４と化粧モール３とを一体化する（図５参照）。この時、キャップ４の面部４０が化粧モール３の端面を被覆した状態であり、また、第１突片４３は、化粧モール３の第１裏面３００に、第２突片４４は、化粧モール３の第２裏面３０１に、それぞれ当接している。第１嵌合突部４１に形成された第２嵌合突部４２は、第１嵌合突部４１を溝状空間部３３の端部の嵌合受部３３０に挿入する際に、化粧モール３の突部３４のスリット３５から突出した状態で、スリット３５内をスライド移動する。化粧モール３の突部３４の面部を下地材５，６に当接させ、化粧モール３の突部３４の面部のスリット３５から突出した第２嵌合突部４２を、下地材５，６の上下端部に形成した嵌合受孔５２，６２に挿入することで（図８（Ｂ）参照）、化粧モール３の上下端部に装着されたキャップ４は、下地材５，６に装着され、嵌合受孔５２に係止した第２嵌合突部４２が化粧モール３の自重を負担する。ここでは、キャップ４と化粧モール３を一体化させた後で、キャップ４及び化粧モール３を扉体１に装着する場合を説明したが、扉体１に先に化粧モール３を装着し、扉体１に装着された化粧モール３及び扉体１に対して、キャップ４を装着してもよい。
【００１９】
化粧モール３の突部３４の面部と、下地材５，６との間に両面粘着テープを設けて化粧モール３と下地材５，６とを仮接着してもよい。粘着テープを設けた場合であっても、粘着力は経年劣化するので、本発明に係るキャップ４による化粧モール３の脱落防止の意義は大きい。また、図８（Ａ）に示すように、屋外側の化粧モール３の長さ方向端部には、シーリング材９が設けてある。
【産業上の利用可能性】
【００２０】
本発明は、玄関用ドアの扉体に装着される化粧モールのキャップに利用することができる。
【図面の簡単な説明】
【００２１】
【図１】左図は扉体の屋外側正面図、右図は屋内側正面図である。
【図２】左図は化粧モールの裏面図、右図は化粧モールの正面図である。
【図３】上図は化粧モールの断面図、下図は化粧モールの裏面図の部分拡大図である。
【図４】キャップを示す図である。
【図５】化粧モールの下端部に対する、キャップを装着を示す図である。
【図６】屋外側下地材の正面図である。
【図７】図６の上方部位の部分拡大図である。
【図８】（Ａ）扉体の上面図、（Ｂ）扉体の横断面図（キャップ部分）、（Ｃ）扉体の横断面図（ガラリ部分）である。
【符号の説明】
【００２２】
１  扉体
２  面部
３  化粧モール
３０  面部
３３  溝状空間部
３３０  嵌合受部
３４  突部
３５  スリット
４  キャップ
４０  面部
４１  第１嵌合突部
４２  第２嵌合突部
５１  係止孔
５２  嵌合受孔
８  係止部材
【図１】
0004762631.tif 000002
【図２】
0004762631.tif 000003
【図３】
0004762631.tif 000004
【図４】
0004762631.tif 000005
【図５】
0004762631.tif 000006
【図６】
0004762631.tif 000007
【図７】
0004762631.tif 000008
【図８】
0004762631.tif 000009